(57)【要約】【課題】内蔵型アンテナを備えた折畳み型携帯電話機において、ユーザがアンテナ性能を改善する手段がない。【解決手段】表示部を備えた第１筐体と、内蔵アンテナを備えた第２筐体とが回動自在にヒンジ結合された携帯電話機であって、ヒンジ部は、通常の開いた状態である１６５度の状態に加え、携帯電話機の第１筐体と第２筐体とがなす角度が２１０度以上２２５度以下の所定の角度で、ユーザが携帯電話機を回動させるのに十分な力以上の力を加えない限りは、回動せず固定される。【選択図】図２
2011223297.tif 000002
【特許請求の範囲】
【請求項１】
第１筐体と、内蔵アンテナが搭載された第２筐体とが回動自在にヒンジ結合された折畳み型携帯電話機であって、
前記ヒンジ部には、２つの筐体を閉じた第１の状態、通話のために２つの筐体を所定角度まで開いた第２の状態、内蔵アンテナを人体から遠ざけるために第２の状態よりも更に一方の筐体を開き方向に回動した第３の状態の何れの状態にも角度を維持する機構が設けられている
ことを特徴とする折畳み型携帯電話機。
【請求項２】
２つの筐体を折り畳んだ状態で互いに正対する２つの主面を、第１筐体の第１の主面と第２の筐体の第２の主面とした場合に、
前記第２の状態は、前記第１の主面と前記第２の主面とがなす角度が１５０度以上１７０度以下の範囲にあり、
前記第３の状態は、前記第１の主面と前記第２の主面とがなす角度が２１０度以上２２５度以下の範囲にある
ことを特徴とする請求項１記載の折畳み型携帯電話機。
【請求項３】
前記ヒンジ部は、前記第１の筐体の一端に設けた軸受け部と前記第２の筐体の一端に設けた軸受け部とが、１本の軸部材を軸承する構造であり、
前記角度を維持する機構は、両軸受け部の対抗する端面の、一方にスプリング付勢されたボールを設け、他方に前記ボールが嵌まり込む係合孔を設けた構成である
ことを特徴とする請求項２記載の折畳み型携帯電話機。
【請求項４】
前記スプリング付勢されたボールは１個であり、前記係合孔は前記第３の状態に相当する角度を持たせて３個形成されている
ことを特徴とする請求項３記載の折畳み型携帯電話機。
【請求項５】
前記内蔵アンテナは、前記第２筐体が前記ヒンジ部を介して前記第１筐体に結合する側の前記第２筐体の第１の端部とは反対側の第２の端部に近接する位置に配される
ことを特徴とする請求項２記載の折畳み型携帯電話機。
【請求項６】
前記第２筐体は、前記第２の端部に近接する位置に配された、集音性能を変更可能なマイクを備え、
前記折畳み型携帯電話機は、更に、
自機が前記第３の状態にあるかどうかを検出する検出手段と、
前記通話を実行している場合であって、前記検出手段が自機が前記第３の状態にあると検出したときには、前記マイクの集音性能をあげる制御手段とを備える
ことを特徴とする請求項２記載の折畳み型携帯電話機。
【請求項７】
前記内蔵アンテナは、Cellular帯及びPCS帯の信号の送受信に用いられる共用アンテナである
ことを特徴とする請求項２記載の折畳み型携帯電話機。
【請求項８】
前記第１筐体の前記ヒンジ部を介して前記第２筐体に結合する側の端部寄りに、又は、前記第２筐体の前記ヒンジ部を介して前記第１筐体に結合する側の端部寄りに、マイクを備える
ことを特徴とする請求項２記載の折畳み型携帯電話機。
【請求項９】
前記内蔵アンテナは、８００ＭＨｚ帯及び２ＧＨｚ帯の信号の送受信に用いられる共用アンテナであることを特徴とする請求項２記載の折畳み型携帯電話機。
【発明の詳細な説明】
【技術分野】
【０００１】
本発明は折畳み型携帯電話機に関し、特にアンテナ性能の改善に関する。
【背景技術】
【０００２】
従来、携帯電話機には、伸縮可能なアンテナとして例えばホイップアンテナを備えるものがある。そのような携帯電話機においては、例えば通話時に、電波の受信状況が悪くて、相手の通話音声が聞き取りにくい場合に、ユーザはホイップアンテナを伸ばして、通話を行うということが行われる。つまり、ホイップアンテナを伸ばすことにより、アンテナを筐体の外に出して、受信状況を改善している。
【０００３】
特許文献１には、そのようなホイップアンテナを備えた携帯電話機が開示されている。
【先行技術文献】
【特許文献】
【０００４】
【特許文献１】特開２００４−１５３８０７号公報
【発明の概要】
【発明が解決しようとする課題】
【０００５】
ところで、昨今、携帯電話機のアンテナとしては、携帯電話機のデザインや、ホイップアンテナの耐久性等を鑑みて、外部に露出する伸縮式のアンテナではなく、内蔵式のアンテナを用いることが主流となっている。この場合、ユーザとしては、受信状況が悪化したとしても、携帯電話機に対して何らかの操作を行って受信状況を改善したりすることができない。
【０００６】
また、携帯電話機は、ユーザに近接させて使用するものであるから、人体の影響により、携帯電話機のアンテナ性能が劣化し、受信状況が悪化するという問題もある。
そこで、本発明は、上記問題に鑑みてなされたものであり、内蔵アンテナを備えた携帯電話機であっても、ユーザの手によってアンテナ性能を改善し得る携帯電話機を提供することを目的とする。
【課題を解決するための手段】
【０００７】
上記課題を解決するため、本発明は、第１筐体と、内蔵アンテナが搭載された第２筐体とが回動自在にヒンジ結合された折畳み型携帯電話機であって、前記ヒンジ部には、２つの筐体を閉じた第１の状態、通話のために２つの筐体を所定角度まで開いた第２の状態、内蔵アンテナを人体から遠ざけるために第２の状態よりも更に一方の筐体を開き方向に回動した第３の状態の何れの状態にも角度を維持する機構が設けられていることを特徴としている。
【０００８】
ここで、「維持する」とは、ユーザが筐体を０度〜１６５度まで回動させるのに通常必要とする力以上の力をかけなければ、その角度から変更できない程度に固定されることを意味する。
【発明の効果】
【０００９】
これにより、携帯電話機は、内蔵アンテナを備えながらも、ユーザの手によってアンテナ性能を改善し得る。
【図面の簡単な説明】
【００１０】
【図１】折畳み型携帯電話機の外観図である。
【図２】折畳み型携帯電話機の使用形態を示す図である。
【図３】折畳み型携帯電話機の接続構成例を示す図である。
【図４】折畳み型携帯電話機のヒンジ部の構成を示す図である。
【図５】折畳み型携帯電話機の２つの筐体がなす角度に応じて測定されたデシベル値を示す表である。
【図６】折畳み型携帯電話機で使用する周波数帯の一つであるCellular帯における測定したデシベル値を示すグラフである。
【図７】折畳み型携帯電話機で使用する周波数帯の一つであるGPS帯における測定したデシベル値を示すグラフである。
【図８】折畳み型携帯電話機で使用する周波数帯の一つであるPCS帯における測定したデシベル値を示すグラフである。
【図９】折畳み型携帯電話機の機能構成を示す機能ブロック図である。
【図１０】折畳み型携帯電話機の通話時の動作を示すフローチャートである。
【図１１】折畳み型携帯電話機の別構成例を示す外観図である。
【発明を実施するための形態】
【００１１】
＜実施の形態１＞
以下、本発明の一実施形態である携帯電話機について図面を用いて説明する。
図１は、本発明に係る携帯電話機１００の外観図である。携帯電話機１００は、第１筐体１１０と、第２筐体１２０とがヒンジ部１３０で回動自在にヒンジ結合された折畳み型携帯電話機である。
【００１２】
第１筐体１１０は、ＬＣＤ１１１とレシーバ１１２とを備える。レシーバ１１２は、厳密に言えば、レシーバ１１２の発する音声が携帯電話機１１０の外部に報知されるための開口部である。
第２筐体１２０は、マイク１２１と、テンキー群１２２とを備える。また、第２筐体１２０は、その筐体内部に、マイク１２１が備えられている主面とは反対側の主面に近接するように、内蔵アンテナ１２３を備えている。
【００１３】
内蔵アンテナ１２３は板金であり、その面が第２筐体１２０の主面と略並行になるように設けられる。当該内蔵アンテナ１２３は、Cellular帯（約８２４．７MHz〜８９３．３MHz）、PCS（Personal Communication Services）帯（約１８５０MHz〜１９９０MHz）、GPS（Global Positioning System）帯（約１．５７GHz）のそれぞれの電波を受信又は送信できる共用アンテナであり、トライプレクサにより周波数分離されて、それぞれの対応する通信回路で復調等の処理が実行されたり、変調されたアナログ信号を送信したりする。
【００１４】
図２は、本発明に係る携帯電話機１００の使用形態を示しており、図２（ａ）は通常の折畳み型携帯電話機と同様の通話状態を示している。図２（ａ）に示されるように、携帯電話機１００は、ユーザの口元に第２筐体１２０のマイク１２１が近接するようにして使用される。この状態においては、第１筐体１１０と第２筐体１２０とのなす角度は１６５度となっている。ここで、第１筐体１１０と第２筐体１２０のなす角度とは、第１筐体１１０のＬＣＤ１１１及びレシーバ１１２がある主面と、第２筐体１２０のテンキー群１２１を備える主面と、その間にその他の主面を介在することなく、なす角度（以降、第１筐体１１０と第２筐体１２０とがなす角度をヒンジ角と記載する。）のこととする。しかし、このとき、第２筐体１２０は、ユーザに近接することになり、とりもなおさず、内蔵アンテナ１２３もまたユーザに近接することになる。すると、人体の影響を受けることになり、内蔵アンテナ１２３のアンテナ性能は劣化する。
【００１５】
そこで、本発明に係る携帯電話機１００は、図２（ａ）に示すように従来の折畳み型携帯電話機と同様に１６５度で固定される構成になっているが、更に、図２（ｂ）に示すように、２２０度まで、回動させて固定できる構成になっている。これによって、内蔵アンテナ１２３を人体頭部から遠ざけることになるので、アンテナ性能を向上させることができる。なお、マイク１２１の集音性能は、図２（ｂ）のようにユーザの口元から離しても十分音声を拾えるだけの性能を有するものとする。
【００１６】
上記図２に示した使用形態を実現するための携帯電話機１００の構成、即ち携帯電話機１００のヒンジ角が１６５度及び２２０度の時に固定される固定機構を図３及び図４を用いて説明する。
なお、図３、図４においては、図面を見やすくするために、主要部分のみを記載するものとし、その他の構成、例えば、ヒンジ部１３０におけるフレキシブル基板等については、その図示を省略する。
【００１７】
図３は、携帯電話機１００の一構成手法を示した図であり、図４は、携帯電話機１００のヒンジ部１３０の詳細を示す図である。図４（ａ）は、携帯電話機１００のヒンジ部１３０の拡大図であり、図４（ｂ）は、ヒンジ部１３０の平面図であって、携帯電話機１００のヒンジ角を０度、１６５度、２２０度において固定状態を維持するための固定機構を説明するための図であり、図４（ｃ）は、携帯電話機１００のヒンジ部１３０を図１に示す携帯電話機１００の右側面から見た図であって、左から順にヒンジ角が、０度（第１の状態）、１６５度（第２の状態）、２２０度（第３の状態）の状態で携帯電話機１００が固定されることを示す図である。
【００１８】
図３に示すように携帯電話機１００は、第１筐体１１０の凸部に設けられた貫通孔１１４と、第２筐体１２０に設けられた貫通孔１２４ｂ並びに嵌め込み孔１２４ａとを貫通するように軸部材１３１が通されることで、第１筐体１１０と第２筐体１２０とは回動自在に接続されることになる。軸部材１３１を通したあとにキャップ１２５を嵌める。ヒンジ部１３０としては所謂フリーストップヒンジを用いてもよい。
【００１９】
第１筐体１１０の凸部には、挿入孔１１３が設けられ、当該挿入孔１１３にばね１１５とボール１１６とが挿入される。
当該ボール１１６は、図４（ｂ）の右図に示すように、通常第２筐体のヒンジ部分の側壁により、ばね１１５が収縮して挿入孔１１３内に押し込まれる。
一方、図４（ｂ）左図や、図４（ｃ）に示されるように、挿入孔１１３は、携帯電話機１００のヒンジ角が０度、１６５度、２２０の時にそれぞれ、係合孔１２６ａ、１２６ｂ、１２６ｃに正対する。このとき、ボール１１６は、ばね１１５により押し出されて各係合孔に係合する。当該機構によって、携帯電話機１００は、ヒンジ角がそれぞれ０度、１６５度、２２０度の時に固定され、当該状態は、携帯電話機１００を例えば０度〜１６５度まで回動させるのに必要とする力よりも大きい力をユーザが加えない限りは維持されるものとする。当該、挿入孔１１３、ばね１１５、ボール１１６、係合孔１２６ａ、１２６ｂ、１２６ｃを以って、本実施の形態における固定機構とする。
【００２０】
上述の構成によって、携帯電話機１００は、通常の折畳み型携帯電話機を開いた状態以上に回動させて、更に開くことができ、これによって、内蔵アンテナ１２３をユーザから遠ざけることとなり、人体の影響により劣化していたアンテナ性能を改善できる。
即ち、折畳み型携帯電話機は、第１筐体と第２筐体とのなす角度が従来からも維持される第１の状態において維持できる構成に加えて、更に、第１の状態よりも広い角度である第２の状態においても維持できる。これによって、第２筐体を第１の状態に比べて人体から遠ざけることになるので、内蔵アンテナもまた人体から遠ざかることになり、アンテナ性能を改善できる。
＜考察＞
本実施の形態１に示す携帯電話機１００を発明するに当たり、発明者らは、携帯電話機の構成、つまりヒンジ角に応じたアンテナ性能の劣化度合いについて検証した。
【００２１】
図５は、携帯電話機１００で使用する周波数帯と、ヒンジ角に応じた基準アンテナの示すデシベル値からの変化値を示しており、言い換えれば、アンテナ性能が劣化していないとされている状態からの各角度のアンテナ性能の劣化度合いを示している。即ち、当該表に示されるデシベル値が低いほど、アンテナ性能が劣化していることを示しており、この値が高いほど、アンテナ性能が良いことを示す。
【００２２】
図５においては、縦軸に第１筐体１１０と第２筐体とがなす角度をとり、横軸に使用周波数をとり、それぞれに対応する低下したデシベル値を示している。図５の、Cellular帯と、PCS帯のそれぞれにおいて示す、TXは、送信を、RXは、受信を意味している。また、TXまたはRXに付随する、L、Ｍ、Hは、それぞれ、Low-channel、Middle-channel、High-channelを意味し、Low-channelは、各帯域の下限チャネルを意味し、Middle-channelは、各帯域の中心チャネルを意味し、High-channelは、各帯域の上限チャネルを意味する。なお、当該測定値は、図２に示す位置に携帯電話機を配した場合の測定値であり、当該測定は図２に示すユーザの位置に村田製作所のドライファントム（登録商標）を配して行われた。ドライファントム（登録商標）は、人体と同等の誘電特性を有する人体模型である。
【００２３】
そして、図６〜図８は、図５に示した各周波数帯におけるデシベル値の変化をグラフ化したものであり、図５の表をより理解しやすくするために可視化したものである。図６は、Cellular帯の、図７は、GPS帯の、図８は、PCS帯のデシベル値の変化、即ちアンテナ性能の劣化度合いの変化を示している。
図６〜図８を見ればわかるように、ほぼ全ての周波数帯において、ヒンジ角が２２０度になるまでは、その角度が広がっていけば行くほど、アンテナ性能の劣化度合いが低減していくことがわかる。
【００２４】
そして、図７と図８に示すように、GPS帯とPCS帯の場合、２２０度を超えると、アンテナ性能は再び劣化していくことがわかる。一方、Cellular帯の場合、２２５度を超えると、一旦大幅にアンテナ性能が劣化し、その後、２４０度を越えたあたりから、アンテナ性能は改善していく。また、Cellular帯の送信の低周波数帯（TX-L）の場合、２１０度を超えるとアンテナ性能が劣化している。また、その他の周波数帯においても、２１０度から２２５度にかけては横這いになっているものもある。
【００２５】
これは、使用している周波数帯の信号に応じて、水平偏波と垂直偏波の振幅が異なるため、内蔵アンテナ１２３が信号を受信する受信のしやすさが変化するためである。
内蔵アンテナ１２３は、共用アンテナであるので、全周波数帯において、受信精度が改善されるように携帯電話機１００の折り曲げ角度が固定されるのが望ましい。また、各周波数帯に応じて固定される角度を決めたとしてもユーザは、どの角度がどの周波数帯に適しているかなど、知り得ない。そのため、携帯電話機１００では、１６５度よりも広い角度において、１つの角度に固定されるのがユーザビリティの観点からすると望ましく、発明者らは、上記図５〜図８の測定値に基づいて、当該１つの角度は、２１０度から２２５度の間のいずれかの角度であれば良いと定め、上記実施の形態においては、２２０度とする例を示した。
【００２６】
以上に示してきたように、携帯電話機１００は、通常の折畳み型携帯電話機とは異なり、ヒンジ角が１６５度である場合だけでなく２２０度である場合においても固定される機構を有する。これにより、ユーザは、受信状況が悪くて相手の通話音声が聞き取りにくい場合であっても、ヒンジ角が１６５度の状態から２２０度の状態に変化させることで、受信状況を変化させることができる。即ち、携帯電話機１００は、内蔵アンテナ１２３を備えていながらも、ユーザが携帯電話機１００を変形させることで受信状況を変化させることができる。また、２２０度の状態に固定される機構を備えることにより、携帯電話機１００の第１筐体１１０と第２筐体１２０とがどの角度をなすときにアンテナ性能が改善されるのかわからないユーザにとっても一意にその箇所を特定することができる。
＜実施の形態２＞
上記実施の形態１においては、本発明の一実施形態である折畳み型携帯電話機１００のハードウェア的構成について説明した。本実施の形態２においては、この折畳み型携帯電話機１００の利便性を高める構成について説明する。
＜構成＞
図９は、携帯電話機１００の機能構成を示す機能ブロック図である。
【００２７】
図９に示すように携帯電話機１００は、通信部９１０と、表示部９２０と、音声処理部９３０と、操作部９４０と、検出部９５０と、記憶部９６０と、制御部９７０とを含んで構成される。
通信部９１０は、アンテナ１２３から受け取った受信信号を受話音声信号及び受信データ信号に復調し、復調した受話音声信号や、受信データ信号を制御部９７０に出力する機能を有する。また、通信部９１０は、制御部９７０を介して得られる音声処理部９３０でＡ／Ｄ変換された送話音声信号、及び制御部９７０から与えられる電子メールなどの送信データ信号を変調し、通信用アンテナ１２３から出力する機能を有する。
【００２８】
表示部９２０は、ＬＣＤ（Liquid Crystal Display）１１１などのディスプレイを含み、制御部９７０の指示による画像、例えば、メールの作成画面などをＬＣＤ１１１に表示する。
音声処理部９３０は、通信部９１０から出力された受話音声信号をＤ／Ａ変換してレシーバ１１２に出力する機能と、マイク１２１から取得した送話音声信号をＡ／Ｄ変換し、変換された信号を制御部９７０に出力する機能を有する。上記実施の形態１においては、マイク１２１は十分な集音性能を有するものとしたが、本実施の形態２においては、マイク１２１は集音性能を変更することが可能なマイクであるとし、音声処理部９３０は、制御部９７０からの指示に従ってマイク１２１の集音性能を変更する機能も有する。マイク１２１の集音性能は、通常は初期状態に設定され、制御部９７０からの指示により、通話時に第１筐体１１０と第２筐体１２０とがなす角度が２２０度になったときに、その集音性能が上げられる。
【００２９】
操作部９４０は、テンキー群１２２、オンフックキー、オフフックキー、方向キー、決定キー、メールキー、サイドキーなどを含み、ユーザの操作を受けて操作内容を制御部９７０に出力する機能を有する。操作部９４０を介して、ユーザは、メールの送信先を指定したり、メールの本文の内容を入力したりすることができる。
検出部９５０は、角度センサ９５１を含み、角度センサ９５１が２２０度を示した場合に、その旨を示す制御信号を制御部９７０に伝送する。角度センサ９５１は、図示していないが、図３のヒンジ部１３０の回動角を検出するためのセンサであり、携帯電話機１００が閉じている状態、即ち、図１で言えば、第１筐体１１０のＬＣＤ１１１を備えている面と、第２筐体１２０のテンキー群１２０とが正対する状態を０度として、その状態から筐体を回動させた回動角を検出する。
【００３０】
記憶部９６０は、ＲＯＭ（Read Only Memory）、ＲＡＭ（Random Access Memory）を含んで構成され、小型ハードディスクやメモリなどによって実現される。記憶部９６０は、携帯通信端末１００の動作上必要な各種データやプログラムの他、音楽データや画像データなどを記憶する機能を有する。
制御部９７０は、ＣＰＵ（Central Processing Unit）であり、携帯通信端末１００の各部を制御する機能を有し、通常の携帯電話機が有する機能の他、通話中に検出部９５０が第１筐体１１０と第２筐体１２０とがなす角度が２２０度になったことを示す制御信号を受けた場合にマイク１２１の集音性能を上げる指示を音声処理部９３０に出力する機能も有する。
＜動作＞
次に、本実施の形態に係る携帯電話機１００の動作を図１０に示すフローチャートを用いて説明する。
【００３１】
携帯電話機１００は、ユーザからの指示を受け付けて、又は、他の電話機からのコールを受けて、他の電話機との通話処理を開始する（ステップＳ１００１）。
制御部９７０は、通話中に、検出部９５０から、第１筐体１１０と第２筐体１２０とのなす角度が２２０度であることを示す制御信号を受け付けた場合に（ステップＳ１００３のＹＥＳ）、マイク１２１の集音性能を上げる指示信号を音声処理部９３０に伝送する。音声処理部９３０は、制御部９７０からの指示に従いマイク１２１の集音性能を上げる。なお、当該通話中において既に集音性能を上げてしまっている場合には、制御部９７０は、マイク１２１の集音性能を上げる指示を出力しない。
【００３２】
制御部９７０は、ユーザからの通話終了指示、もしくは、通話相手からの通話終了処理による基地局との回線切断により処理を終了する。通話が終了していない場合は（ステップＳ１００７のＮＯ）、ステップＳ１００３に戻る。
なお、携帯電話機１００は、通話終了後に、マイク１２１の集音性能を上げていた場合には、その性能を初期値に戻す。
【００３３】
以上に示すように、携帯電話機１００は、通話中に、第１筐体１１０と第２筐体１２０とがなす角度が２２０度になったことを検出して、マイクの集音性能を上げる。よって、ユーザがアンテナ性能をあげるために、携帯電話機１００を回動させて第１筐体１１０と第２筐体１２０とがなす角度を２２０度にすることによって、マイクがユーザの口元から遠ざかることになったとしても、ユーザの話し声を確実に拾えることができ、通話に支障をきたさない構成とすることができる。
＜補足＞
上記実施の形態において、本発明の実施の形態について説明してきたが、本発明の実施形態がこれに限られないことは勿論である。以下、上記実施形態以外に本発明として含まれる各種の変形例について説明する。
（１）上記実施の形態１においては、携帯電話機を、第１筐体と第２筐体とがなす角度が１６５度と２２０度との両方で固定できるように構成したものを示した。しかし、両角度は、一例に過ぎず、本発明に係る携帯電話機は、通話状態において、アンテナを人体から放す方向へ筐体が変化するようになっていれば、上記実施の形態において示した第１筐体１１０と第２筐体１２０とがなし、維持される角度である１６５度と２２０度との角度は、その他の角度であってもよい。例えば、１６５度を１７０度、２２０度を２１５度で固定されるように構成してもよい。また、当該２１０度〜２２５度という角度は、内蔵アンテナ１２３を第２筐体１２０のマイク１２１の近傍に配した場合の測定値によって求められたものであり、また、使用する周波数帯によっても異なってくるため、内蔵アンテナ１２３の配置箇所や、使用する周波数に応じて最もアンテナ性能が改善される角度であればよい。
【００３４】
また、携帯電話機１００を第１筐体１１０と第２筐体１２０とが上記２つの角度で固定されるための機構は上述するものに限られず、ユーザが通常第１筐体１１０と第２筐体１２０とを回動させるのに必要な力以上の力を加えない限りはその状態が維持される機構であれば、どのような機構であってもよい。例えば、ヒンジ部１３０にモータと、ヒンジ部１３０にかけられているユーザの力を計測するセンサとを備え、１６５度及び２２０度になったタイミングでモータを動作させて、一定以上の力を加えられない限りは、ヒンジ部１３０を回動させないように構成してもよい。
（２）上記実施の形態２においては、検出部９５０は、角度センサ９５１を用いて、第１筐体１１０と第２筐体１２０とがなす角度が２２０度になっているか否かを検出することとした。しかし、第１筐体と第２筐体とがなす角度を検出する手法は、これに限定されるものではなく、以下のような手法を用いて検出してもよい。
【００３５】
例えば、ばね１１５と、ボール１１６とを導電性の金属で構成し、係合孔１２６ｃに導電性の金属膜を貼り付け、ばね１１５の端部と、係合孔１２６ｃに貼り付けた金属膜とに配線で結線する。そして、当該配線上において電流検出回路等を設け、電流が流れるかどうかを検出することによって、電流が流れる場合に、係合孔１２６ｃに対応する角度、即ち２２０度になっていることを検出することとしてもよい。また、同様の構成を係合孔１２６ａ、１２６ｂにも設けて、それぞれの角度を検出することとしてよい。
（３）上記実施の形態１においては、一つの軸部材１３１からなるヒンジ部１３０で第１筐体と第２筐体とヒンジ結合された構成の折畳み型携帯電話機を開示したが、本発明に係る折畳み型携帯電話機の構成はこれに限るものではない。
【００３６】
例えば、図１１に示されるように、２つのヒンジと両筐体の間に介在する第３の筐体で第１筐体１１０ａと第２筐体１２０ａとを接続するようにしてもよく、この際に、図１１に示すように第１筐体１１０ａと第２筐体１２０ａとがなす角度が２２０度で固定される構成を備えていればよい。具体的には、実施の形態１に示したような、固定部の構成を両ヒンジ部に設けることで実現すればよい。
【００３７】
また、携帯電話機１００は、その他の形態であってもよく、ヒンジによって少なくとも２つの筐体が回動し、当該回動により、アンテナを搭載している筐体と、他方の筐体との相対位置関係が変化するものであればよく、例えば、所謂サイクロイド型の携帯電話機であってもよい。
（４）上記実施の形態においては、内蔵アンテナ１２３は、Cellular帯、GPS帯、PCS帯のそれぞれの周波数帯の信号を送受信可能な共用アンテナであるとしたが、内蔵アンテナ１２３は、そのうちの一つの周波数帯の信号のみが送受信できる専用アンテナであってもよいし、そのうちの二つの周波数帯の信号を送受信する共用アンテナ、あるいは、上述の三つ以上の周波数帯の信号を送受信できる共用アンテナであってもよい。
（５）上記実施の形態２においては、第１筐体と第２筐体とがなす角度が２２０度である場合に、マイク１２１の集音性能を上げる制御を実行することとした。これは、第１筐体と第２筐体とがなす角度を２２０度にするとマイクがユーザの口から遠ざかることになってしまうことに対応するための処理であったが、当該構成の換わりに、携帯電話機を以下の構成とすることで対応してもよい。
【００３８】
即ち、マイク１２１を第２筐体１２０の、ヒンジ部１３０に近接する位置に（例えば、ファンクションキーの上部）配することとしてもよい。当該位置にマイク１２１を配することによって、携帯電話機１００の回動によって、マイクは、さほど遠ざかることはなくなり、マイク１２１がユーザの話し声を拾えないという事態を防止することができる。
また、同様の思想により、マイク１２１を第１筐体１１０のヒンジ部１３０寄りに配することとしてもよい。
（６）上記実施の形態２においては、マイク１２１の集音性能を一度上げている場合には、以降は上げないこととした。しかし、マイク１２１は、その集音性能を段階的に上げてもよく、例えば、マイク１２１が拾う音声を変換して得られる信号レベルが所定の閾値よりも低い場合に当該閾値を超えるまで集音性能を上げ続けたりしてもよい。
（７）上述の実施形態２で示した第１筐体１１０と第２筐体１２０とのなす角度に応じて、マイクの集音性能を変化させる動作処理等（図１０参照）を携帯電話機等のプロセッサ、及びそのプロセッサに接続された各種回路に実行させるためのプログラムコードからなる制御プログラムを、記録媒体に記録すること、又は各種通信路等を介して流通させ頒布させることもできる。このような記録媒体には、ＩＣカード、ハードディスク、光ディスク、フレキシブルディスク、ＲＯＭ等がある。流通、頒布された制御プログラムはプロセッサに読み出され得るメモリ等に格納されることにより利用に供され、そのプロセッサがその制御プログラムを実行することにより、実施形態で示したような各種機能が実現されるようになる。
（８）なお、上記実施形態１や実施形態２では、使用する周波数帯として、Cellular帯やPCS帯を用いたが、本発明はこのような周波数帯を用いる場合に限定されない。例えば、８００MHz（約７７０MHz〜９６０MHz）や、２GHz帯（約１９２０MHz〜２２００MHz）など、適宜な周波数帯を用いることができる。
【産業上の利用可能性】
【００３９】
本発明に係る折畳み型携帯電話機は、内臓アンテナを用いて通信を行いながらも、ユーザが携帯電話機を操作することで、アンテナ性能を改善できる折畳み型携帯電話機として活用することができる。
【符号の説明】
【００４０】
１００  携帯電話機
１１０  第１筐体
１１１  ＬＣＤ
１１２  レシーバ
１１５  ばね
１１６  ボール
１２０  第２筐体
１２１  マイク
１２２  テンキー群
１２３  内蔵アンテナ
１２６ａ、１２６ｂ、１２６ｃ  係合孔
１３０  ヒンジ部
１３１  軸部材
９１０  通信部
９２０  表示部
９３０  音声処理部
９４０  操作部
９５０  検出部
９５１  角度センサ
９６０  記憶部
９７０  制御部
【図１】
2011223297.tif 000003
【図２】
2011223297.tif 000004
【図３】
2011223297.tif 000005
【図４】
2011223297.tif 000006
【図５】
2011223297.tif 000007
【図６】
2011223297.tif 000008
【図７】
2011223297.tif 000009
【図８】
2011223297.tif 000010
【図９】
2011223297.tif 000011
【図１０】
2011223297.tif 000012
【図１１】
2011223297.tif 000013